(57)【要約】【課題】ＭＰＥＧ２システムの放送を受信する際に、ＣＡシステムを変更することなく、複数のトランスポートストリームによるプログラムの同時受信を可能とし、裏番組録画やＰｉｎＰ再生を可能とするようにする。【解決手段】複数のトランスポートストリームＴＳ１、ＴＳ２、…からそれぞれ必要なパケットを取り出し、ＳＩ除去回路８３−１、８３−２、…でＳＩを除去して、１つのトランスポートストリームに再構成すると共に、ＳＩ再構成回路８１で、複数のトランスポートストリームのそれぞれからＳＩのパケット情報を取り出し、システムに破綻を来さないように、複数のトランスポートストリームから新たなＳＩのパケットを再構成する。これにより、ＣＡシステムを変更することなく、裏番組録画や、マルチ画面再生、ＰｉｎＰ再生等が可能になる。【選択図】        図８
2004266334.tif 000002
【特許請求の範囲】
【請求項１】
複数のトランスポートストリームからそれぞれ必要なパケットを取り出し、１つのトランスポートストリームに再構成する手段と、
上記再構成された１つのトランスポートストリームから限定受信を行い、必要なパケットを分離する手段と、
上記再構成された１つのトランスポートストリームから分離された各パケットを、それぞれ、復号する手段と
を備えるようにしたデータ処理装置。
【請求項２】
上記複数のトランスポートストリームのそれぞれからＳＩ（Ｓｅｒｖｉｃｅ  Ｉｎｆｏｒｍａｔｉｏｎ）のパケット情報を取り出し、上記複数のトランスポートストリームのそれぞれから得られたＳＩのパケットの情報から新たなＳＩのパケットを再構成し、上記再構成された新たなＳＩのパケットを上記再構成された１つのトランスポートストリームに付加するようにした請求項１に記載のデータ処理装置。
【請求項３】
上記複数のトランスポートストリームのそれぞれからＳＩ（Ｓｅｒｖｉｃｅ  Ｉｎｆｏｒｍａｔｉｏｎ）のパケットの情報を取り出し、上記複数のトランスポートストリームのそれぞれから得られたＳＩのパケットの情報を処理手段に送り、限定受信のための処理を行うようにした請求項１に記載のデータ処理装置。
【請求項４】
複数のトランスポートストリームのそれぞれからＳＩ（Ｓｅｒｖｉｃｅ  Ｉｎｆｏｒｍａｔｉｏｎ）のパケットの情報を取り出し、上記複数のトランスポートストリームのそれぞれから得られたＳＩのパケットの情報を使って、限定受信のための処理を行う手段と、
上記複数のトランスポートストリームのそれぞれについて共通の限定受信を行い、必要なパケットを分離する手段と、
上記それぞれのトランスポートストリームから分離された各パケットを、それぞれ、復号する手段と
を備えるようにしたデータ処理装置。
【請求項５】
上記必要なパケットを分離する手段を、上記複数のトランスポートストリームについて時分割で使用するようにした請求項４に記載のデータ処理装置。
【請求項６】
複数のトランスポートストリームからそれぞれ必要なパケットを取り出し、１つのトランスポートストリームに再構成し、
上記再構成された１つのトランスポートストリームから限定受信を行い、必要なパケットを分離し、
上記再構成された１つのトランスポートストリームから分離された各パケットを、それぞれ、復号する
ようにしたデータ処理方法。
【請求項７】
上記複数のトランスポートストリームのそれぞれからＳＩ（Ｓｅｒｖｉｃｅ  Ｉｎｆｏｒｍａｔｉｏｎ）のパケット情報を取り出し、上記複数のトランスポートストリームのそれぞれから得られたＳＩのパケットの情報から新たなＳＩのパケットを再構成し、上記再構成された新たなＳＩのパケットを上記再構成された１つのトランスポートストリームに付加するようにした請求項６に記載のデータ処理方法。
【請求項８】
上記複数のトランスポートストリームのそれぞれからＳＩ（Ｓｅｒｖｉｃｅ  Ｉｎｆｏｒｍａｔｉｏｎ）のパケットの情報を取り出し、上記複数のトランスポートストリームのそれぞれから得られたＳＩのパケットの情報を処理手段に送り、限定受信のための処理を行うようにした請求項６に記載のデータ処理方法。
【請求項９】
複数のトランスポートストリームのそれぞれからＳＩ（Ｓｅｒｖｉｃｅ  Ｉｎｆｏｒｍａｔｉｏｎ）のパケット情報を取り出し、上記複数のトランスポートストリームのそれぞれから得られたＳＩのパケットの情報を使って、共通の限定受信のための処理を行い、
上記複数のトランスポートストリームのそれぞれについて限定受信を行い、必要なパケットを分離し、
上記それぞれのトランスポートストリームから分離された各パケットを、それぞれ、復号する
ようにしたデータ処理方法。
【請求項１０】
上記必要なパケットを分離する手段を、上記複数のトランスポートストリームについて時分割で使用するようにした請求項９に記載のデータ処理方法。
【発明の詳細な説明】
【０００１】
【発明の属する技術分野】
この発明は、ディジタル衛星放送やディジタル地上波放送のように、ＭＰＥＧ（Ｍｏｖｉｎｇ  Ｐｉｃｔｕｒｅ  Ｃｏｄｉｎｇ  Ｅｘｐｅｒｔｓ  Ｇｒｏｕｐ）２のストリームで放送を行うシステムに用いて好適なディジタル処理装置及び方法に関するもので、特に、ＣＡ（Ｃｏｎｄｉｔｉｏｎ  Ａｃｃｅｓｓ  Ｓｙｓｔｅｍ）システムを変更することなく、同時に放送されている複数のプログラムの受信を可能にし、裏番組録画や、マルチ画面再生、ＰｉｎＰ（Ｐｉｃｔｕｒｅ  ｉｎ  Ｐｉｃｔｕｒｅ）再生等を可能としたものに係わる。
【０００２】
【従来の技術】
日本のディジタル放送（ディジタル衛星放送、ディジタル地上波放送、ディジタルＣＡＴＶ（Ｃａｂｌｅ  Ｔｅｌｅｖｉｓｉｏｎ））では、ＭＰＥＧ２システム（ＩＳＯ／ＩＥＣ  １３８１８−１  ＧＥＮＥＲＩＣ  ＣＯＤＩＮＧ  ＯＦ  ＭＯＶＩＮＧ  ＰＩＣＴＵＲＥＳ  ＡＮＤ  ＡＳＳＯＣＩＡＴＥＤ  ＡＵＤＩＯ：  ＳＹＳＴＥＭＳ  Ｒｅｃｏｍｍｅｎｄａｔｉｏｎ  Ｈ．２２２．０）が採用されている。この方式は、ＡＲＩＢ（Ａｓｓｏｃｉａｔｉｏｎ  ｏｆ  Ｒａｄｉｏ  Ｉｎｄｕｓｔｒｉａｌ  ａｎｄ  Ｂｕｓｉｎｅｓｓｅｓ）の規格の基に作成されたものである。
【０００３】
ＭＰＥＧ２システムは、符号化されたビデオやオーディオ、付加データなど個別のストリームを多重化し、それぞれの同期をとりながら再生するための方式を規定したもので、ＭＰＥＧ２−ＰＳ（  Ｐｒｏｇｒａｍ  Ｓｔｒｅａｍ）と、ＭＰＥＧ２−ＴＳ（Ｔｒａｎｓｐｏｒｔ  Ｓｔｒｅａｍ）の２種類の方式がある。
【０００４】
ＭＰＥＧ２−ＰＳは、誤りの発生しない環境でのデータの伝送・蓄積に適用されることを想定しており、冗長度を小さくすることができることから、ＤＶＤ（Ｄｉｇｉｔａｌ  Ｖｅｒｓａｔｉｌｅ  Ｄｉｓｃ）などの強力な誤り訂正符号を用いたディジタルストレージメディアで使用されている。
【０００５】
ＭＰＥＧ２−ＴＳは、放送や通信ネットワークなどデータの伝送誤りが発生する環境に適用されることを想定しており、１本のストリームの中に複数のプログラムを構成することができることから、ディジタル放送などに使用されている。
【０００６】
ＭＰＥＧ２−ＴＳでは、１８８バイトの固定長のＴＳ（Ｔｒａｎｓｐｏｒｔ  Ｓｔｒｅａｍ）パケットが複数個集まって、トランスポートストリームが構成される。この１８８バイトのＴＳパケットの長さは、ＡＴＭ（Ａｓｙｎｃｈｒｏｎｏｕｓ  Ｔｒａｎｓｆｅｒ  Ｍｏｄｅ）セル長との整合性を考慮して決定されている。
【０００７】
ＴＳパケットは、４バイトの固定長のパケットヘッダと、可変長のアダプテーションフィールド及びペイロードで構成される。パケットヘッダには、ＰＩＤ（パケット識別子）や各種のフラグが定義されている。ＰＩＤにより、ＴＳパケットの種類が識別される。
【０００８】
ビデオやオーディオなどの個別ストリームが収められたＰＥＳ（Ｐａｃｋｅｔｉｚｅｄ  Ｅｌｅｍｅｎｔａｒｙ  Ｓｔｒｅａｍ）パケットは、同じＰＩＤ番号を持つ複数のＴＳパケットに分割されて伝送される。ビデオの符号化には、例えばＭＰＥＧ２方式が用いられる。オーディオの符号化には、例えばＢＳ（Ｂｒｏａｄｃａｓｔ  Ｓａｔｅｌｌｉｔｅ  ）ディジタル放送ではＭＰＥＧ２−ＡＡＣ（ＭＰＥＧ２  Ａｄｖａｎｃｅｄ  Ａｕｄｉｏ  Ｃｏｄｉｎｇ  ）方式が用いられている。
【０００９】
また、字幕などのデータが納められたＰＥＳパケットも、ビデオやオーディオのパケットと同様に、複数のＴＳパケットに分割されて伝送される。
【００１０】
更に、トランスポートストリームには、セクション形式のテーブルで記述されたＳＩ（Ｓｅｒｖｉｃｅ  Ｉｎｆｏｒｍａｔｉｏｎ）の情報のパケットが含められる。全局用のＳＩにはＰＳＩ（Ｐｒｏｇｒａｍ  Ｓｐｅｃｉｆｉｃ  Ｉｎｆｏｒｍａｔｉｏｎ）がある。ＰＳＩは、所望の放送のプログラムを選択して受信するシステムで必要な情報であり、これには、ＰＡＴ（Ｐｒｏｇｒａｍ  Ａｓｓｏｃｉａｔｉｏｎ  Ｔａｂｌｅ）、ＰＭＴ（Ｐｒｏｇｒａｍ  Ｍａｐ  Ｔａｂｌｅ）、ＮＩＴ（Ｎｅｔｗｏｒｋ  Ｉｎｆｏｒｍａｔｉｏｎ  Ｔａｂｌｅ）、ＣＡＴ（Ｃｏｎｄｉｔｉｏｎ  Ａｃｃｅｓｓ  Ｔａｂｌｅ）などがある。
【００１１】
ＰＡＴにはプログラム番号に対応するＰＭＴのＰＩＤ等が記述されている。ＰＭＴには対応するプログラムに含まれる映像、音声、付加データ及びＰＣＲのＰＩＤが記述される。ＮＩＴには、目的のプログラムがどの搬送波周波数で送られているかが記述されている。ＣＡＴには、限定受信方式の識別と契約情報等の個別情報に関する情報が記述される。放送事業者のサービスに用いるＳＩとしては、ＥＩＴ（Ｅｖｅｎｔ  Ｉｎｆｏｒｍａｔｉｏｎ  Ｔａｂｌｅ）がある。ＥＩＴは、番組の放送予定が記述されており、ＥＰＧ（Ｅｌｅｃｔｒｏｎｉｃ  Ｐｒｏｇｒａｍ  Ｇｕｉｄｅ）や録画予約に用いられる。
【００１２】
このようなＭＰＥＧ２システムのディジタル放送として、既に、ディジタルＣＳ（Ｃｏｍｍｕｎｉｃａｔｉｏｎ  Ｓａｔｅｌｌｉｔｅ  ）放送やディジタルＢＳ（Ｂｒｏａｄｃａｓｔ  Ｓａｔｅｌｌｉｔｅ  ）放送が開始されている。ディジタルＢＳ放送では、通常のＳＤＴＶ（Ｓｔａｎｄａｒｄ  Ｄｅｆｉｎｉｔｉｏｎ  Ｔｅｌｅｖｉｓｉｏｎ）の他に、ＨＤＴＶ（Ｈｉｇｈ  Ｄｅｆｉｎｉｔｉｏｎ  Ｔｅｌｅｖｉｓｉｏｎ）の放送が行われている。また、ディジタル地上波放送を行うことが検討されている。
【００１３】
このようなＭＰＥＧ２のシステムでは、限定受信のための処理として、ＣＡＴシステムが採用されている。限定受信のための鍵は、マスタ鍵と、ワーク鍵と、スクランブル鍵の３層構造になっている。ワーク鍵は、比較的長い周期で更新され、マスタ鍵で暗号化されて、ＥＭＭ（Ｅｎｔｉｔｌｅｍｅｎｔ  Ｍａｎａｇｅｍｅｎｔ  Ｍｅｓｓａｇｅ）パケットとしてセクション形式で伝送される。ＥＭＭには、個人別の暗号かされた契約内容が記述されている。スクランブル鍵情報は、比較的短い周期で暗号化され、ＥＣＭ（Ｅｎｃｒｙｐｔｉｏｎ  Ｃｏｎｔｒｏｌ  Ｍｅｓｓａｇｅ）パケットとしてセクション形式で伝送される。ＥＭＭが伝送されるＰＩＤはＣＡＴ（Ｃｏｎｄｉｔｉｏｎ  Ａｃｃｅｓｓ  Ｔａｂｌｅ）の中の限定受信記述子で指定され、ＥＣＭが伝送されるＰＩＤはＰＭＴの中の限定受信記述子で記述される。
【００１４】
受信機では、ＣＡＴの受信が行われ、ＣＡＴを受信することで、ＥＭＭのＰＩＤが知らされる。そして、ＩＣカード内の個別ＩＤ（カードＩＤ）と一致する自分宛のＥＭＭが受信される。このＥＭＭの情報がＩＣカードに送られ、ＩＣカードに契約内容が記憶される。
【００１５】
所望のプログラムを受信する際には、ＮＩＴが取得され、ＮＩＴから、チャンネルリストがサーチされ、所望のプログラムを放送してるキャリア周波数が取得される。所望のプログラムのキャリア周波数が得られたら、受信周波数が所望のプログラムが放送されているキャリア周波数に設定される。そして、そのキャリア周波数で、ＰＡＴが取得される。ＰＡＴには、各キャリア内のプログラム情報と、各プログラムの中身を表すＰＭＴのＰＩＤが記述されている。ＰＡＴから所望のプログラムのＰＭＴが記述されているＰＩＤが取得される。ＰＭＴから、所望のプログラムのコンポーネント（ビデオ／オーディオ）と、デスクランブルに必要なＥＣＭのＰＩＤが取得される。
【００１６】
スクランブルを解除するために、ＥＣＭのパケットが受信され、このＥＣＭの情報がＩＣカードに送られる。ＩＣカードからは、ＩＣカード内に記憶された契約内容に基づき、復号が許可された場合にのみ、復号キーが返される。この復号キーと、デスクランブルするコンポーネントのＰＩＤとがデスクランブラに設定される。所望のプログラムの各コンポーネントのパケットは、このデスクランブルキーにより、デスクランブルされる。
【００１７】
デスクランブルされた各コンポーネントのパケットは、デマルチプレクサに送られる。デマルチプレクサにより、所望のプログラムを受信するためのビデオＰＥＳパケットとオーディオＰＥＳパケットが分離される。このビデオＰＥＳパケット及びオーディオＰＥＳパケットが復号される。
【００１８】
なお、ＭＰＥＧ２のＣＡシステムについては、以下の特許文献に記載されている。
【００１９】
【特許文献１】
特開平８−２６５７２３号公報
【００２０】
【発明が解決しようとする課題】
このように、ＭＰＥＧ２システムでは、ＣＡＴによる限定受信が行われている。このＣＡＴによる限定受信は、１つの受信システムで１つのプログラムを視聴することを前提にしている。したがって、複数のプログラムを同時に視聴及び録画するためには、複数の受信機とそれを視聴するために必要となる複数のＣＡシステムが必要である。
【００２１】
例えば、所謂裏番組録画では、あるプログラムを見ながら、同時に他のプログラムで放送されている番組が録画される。このような裏番組録画では、複数のプログラムを同時に受信することが必要である。また、ＰｉｎＰのように、２つの受信プログラムの画面を１つの画面上に同時に映し出すような処理をする場合には、複数のプログラムを同時に受信することが必要である。
【００２２】
従来のＭＰＥＧ２システムのＣＡＴによる限定受信では、このように複数のプログラムを同時に受信する際に、複数の視聴契約を結ぶ必要がある。しかしながら、複数のプログラムを同時に受信するために、複数の視聴契約を結ぶのは現実的ではない。
【００２３】
したがって、この発明の目的は、ＣＡシステムを変更することなく、複数のトランスポートストリームによるプログラムの同時受信を可能とした対応が可能としたデータ処理装置及び方法を提供することにある。
【００２４】
【課題を解決するための手段】
この発明は、複数のトランスポートストリームからそれぞれ必要なパケットを取り出し、１つのトランスポートストリームに再構成する手段と、
再構成された１つのトランスポートストリームから限定受信を行い、必要なパケットを分離する手段と、
再構成された１つのトランスポートストリームから分離された各パケットを、それぞれ、復号する手段と
を備えるようにしたデータ処理装置である。
【００２５】
この発明は、複数のトランスポートストリームのそれぞれからＳＩ（Ｓｅｒｖｉｃｅ  Ｉｎｆｏｒｍａｔｉｏｎ）のパケットの情報を取り出し、複数のトランスポートストリームのそれぞれから得られたＳＩのパケットの情報を使って、限定受信のための処理を行う手段と、
複数のトランスポートストリームのそれぞれについて共通の限定受信を行い、必要なパケットを分離する手段と、
それぞれのトランスポートストリームから分離された各パケットを、それぞれ、復号する手段と
を備えるようにしたデータ処理装置である。
【００２６】
この発明は、複数のトランスポートストリームからそれぞれ必要なパケットを取り出し、１つのトランスポートストリームに再構成し、
再構成された１つのトランスポートストリームから限定受信を行い、必要なパケットを分離し、
再構成された１つのトランスポートストリームから分離された各パケットを、それぞれ、復号する
ようにしたデータ処理方法である。
【００２７】
この発明は、複数のトランスポートストリームのそれぞれからＳＩ（Ｓｅｒｖｉｃｅ  Ｉｎｆｏｒｍａｔｉｏｎ）のパケット情報を取り出し、複数のトランスポートストリームのそれぞれから得られたＳＩのパケットの情報を使って、共通の限定受信のための処理を行い、
複数のトランスポートストリームのそれぞれについて限定受信を行い、必要なパケットを分離し、
それぞれのトランスポートストリームから分離された各パケットを、それぞれ、復号する
ようにしたデータ処理方法である。
【００２８】
複数のトランスポートストリームからそれぞれ必要なパケットを取り出し、１つのトランスポートストリームに再構成し、再構成された１つのトランスポートストリームから限定受信を行い、必要なパケットを分離し、再構成された１つのトランスポートストリームから分離された各パケットを、それぞれ、復号するようにしている。
【００２９】
すなわち、複数のトランスポートストリームのそれぞれからＳＩのパケット情報を取り出し、複数のトランスポートストリームから１つのトランスポートストリームを再構成すると共に、複数のトランスポートストリームのそれぞれから得られたＳＩのパケットの情報から、新たなＳＩのパケットを再構成している。
【００３０】
また、複数のトランスポートストリームのそれぞれからＳＩのパケットの情報を取り出し、複数のトランスポートストリームから１つのトランスポートストリームを再構成すると共に、複数のトランスポートストリームのそれぞれから得られたＳＩのパケットの情報をマイクロプロセッサに送り、限定受信のための処理を行うようにしている。
【００３１】
また、複数のトランスポートストリームのそれぞれからＳＩのパケットの情報を取り出し、マイクロプロセッサに送り、複数のトランスポートストリームのそれぞれから得られたＳＩのパケットの情報を使って、共通の限定受信システムで限定受信を行い、必要なパケットを分離し、複数のトランスポートストリームから分離された各パケットを、それぞれ、復号するようにしている。
【００３２】
これにより、ＣＡシステムを変更することなく、複数のトランスポートストリームのプログラムを同時に再生することができる。このため、裏番組録画や、マルチ画面再生、ＰｉｎＰ再生等が可能である。
【００３３】
【発明の実施の形態】
以下、この発明の実施の形態について図面を参照して説明する。図１は、この発明が適用された受信システムの概要を示すものである。
【００３４】
図１において、放送局１からは、ディジタル放送の信号が送信される。ディジタル放送の信号は、ＭＰＥＧ２−ＴＳのシステムで、映像及び音声、データを放送するものである。ディジタル放送としては、ディジタル衛星放送、ディジタル地上波放送、ディジタルＣＡＴＶ等がある。この発明は、ＭＰＥＧ２−ＴＳのシステムでディジタル放送を行うものであれば、何れの放送形式の場合にも適用できる。
【００３５】
ＭＰＥＧ２−ＴＳでは、図２Ａに示すように、１８８バイトからなるＴＳパケットが使用される。このＴＳパケットは、４バイトのヘッダと、１８４バイトのペイロードとからなる。
【００３６】
図２Ｂに示すように、ヘッダの先頭には、パケットの先頭を示す８ビットの同期バイトが設けられている。これに続いて、パケット中のエラーの有無を示す１ビットの誤りインジケータと、新たなＰＥＳパケットがこのトランスポートパケットのペイロードから始まることを示す１ビットのユニット開始インジケータと、このパケットの重要度を示す１ビットのトランスポートプライオリティと、個別のパケットを識別するための１３ビットのＰＩＤ（ｐａｃｋｅｔ＿ＩＤ  ）と、ペイロードのスクランブルの有無を示す２ビットのスクランブル制御と、アダプテーションフィールドの有無及びペイロードの有無を示す２ビットのアダプテーションフィールド制御と、ＰＩＤをもつパケットが途中で一部棄却されたかどうかを受信カウントの連続性で検出するための４ビットの巡回カウンタとからなる。
【００３７】
アダプテーションフィールドは、個別ストリームに関する付加情報を伝送するためのものである。アダプテーションフィールドは、アダプテーションフィールド長と、不連続表示と、ランダムアクセス表示と、ストリーム優先表示と、オプショナルフィールドに対するフラグと、オプショナルフィールドと、スタッフィングバイトとからなる。
【００３８】
トランスポートストリームには、ビデオやオーディオ、字幕等のデータのパケットの他に、ＰＳＩやＳＩのセクション形式のテーブルで記述された情報のＳＩのパケットが含められる。
【００３９】
ＰＳＩは、所望の放送のプログラムを選択して受信する等システムで必要な情報である。
【００４０】
ＰＳＩとしては、ＮＩＴ（Ｎｅｔｗｏｒｋ  Ｉｎｆｏｒｍａｔｉｏｎ  Ｔａｂｌｅ）、ＰＡＴ（Ｐｒｏｇｒａｍ  Ａｓｓｏｃｉａｔｉｏｎ  Ｔａｂｌｅ）、ＰＭＴ（Ｐｒｏｇｒａｍ  Ｍａｐ  Ｔａｂｌｅ）、ＣＡＴ（Ｃｏｎｄｉｔｉｏｎ  Ａｃｃｅｓｓ  Ｔａｂｌｅ）等がある。
【００４１】
ＮＩＴには、全搬送波に同一の内容が多重されており、搬送波毎の伝送諸元（偏波面、キャリア周波数、畳み込みレート等）と、そこに多重化されているプログラムのリストが記述されている。このＮＩＴのセクションのパケットのＰＩＤは（ＰＩＤ＝０ｘ００１０）とされている。
【００４２】
ＰＡＴは、各搬送波毎に固有の内容の情報が記述されており、各搬送波内のプログラム情報と、各プログラムの中身を示すＰＭＴのＰＩＤが記述されている。このＰＡＴのセクションのパケットのＰＩＤは、（ＰＩＤ＝０ｘ００００）である。
【００４３】
ＰＭＴ（Ｐｒｏｇｒａｍ  Ｍａｐ  Ｔａｂｌｅ  ）は、各プログラムを構成するコンポーネントと、デスクランブルに必要なＥＣＭパケットのＰＩＤが記述されている。このＰＭＴのセクションのパケットのＰＩＤは、ＰＡＴで指定される。
【００４４】
ＣＡＴ（Ｃｏｎｄｉｔｉｏｎ  Ａｃｃｅｓｓ  Ｔａｂｌｅ）は、ＥＭＭのパケットのＰＩＤが記述されており、ＣＡＴのセクションのパケットのＰＩＤは、（  ＰＩＤ＝０ｘ０００１）である。
【００４５】
放送サービスで用いられるＳＩとしては、ＥＩＴ（Ｅｖｅｎｔ  Ｉｎｆｏｒｍａｔｉｏｎ  Ｔａｂｌｅ）がある。ＥＩＴは、番組の放送予定が記述されている。ＥＰＧ（Ｅｌｅｃｔｒｏｎｉｃ  Ｐｒｏｇｒａｍ  Ｇｕｉｄｅ）や録画予約に用いられる。ＥＩＴのセクションのパケットのＰＩＤは（ＰＩＤ＝０Ｘ００１２）である。
【００４６】
図１における放送局１から送信された信号は各家庭の受信機２で受信される。各家庭の受信機２で、この受信信号から、ＴＳパケットが復調され、このＴＳパケットから、ビデオＰＥＳパケットとオーディオＰＥＳパケットが取り出され、このビデオＰＥＳパケット及びオーディオＰＥＳパケットからビデオ信号及びオーディオ信号が復号される。また、この受信信号からデータパケットが取り出され、データパケットが復号される。
【００４７】
後に説明するように、この発明が適用された受信機２には、複数のトランスポートストリームから視聴に必要なパケットをそれぞれ取り出し、それらを再構成して１つのトランスポートストリームとしてＣＡシステムに送ることができる。これにより、同時に放送されている複数のプログラムを再生することができる。
【００４８】
受信機２で復号されたビデオ信号及びオーディオ信号は、モニタとしてのテレビジョン受像機３に供給される。テレビジョン受像機３で、このビデオ信号に基づく画面が再生されると共に、その再生音が出力される。また、これと同時に、受信機２で他のプログラムのビデオ信号及びオーディオ信号が復号され、この他のプログラムのビデオ信号及びオーディオ信号が記録再生装置４に供給される。記録再生装置４で、この他のプログラムのビデオ信号及びオーディオ信号が記録される。
【００４９】
このように、この発明が適用された受信機２では、複数のトランスポートストリームから視聴に必要なパケットをそれぞれ取り出し、それらを再構成して１つのトランスポートストリームとしてＣＡシステムに送ることにより、同時に放送されている複数のプログラムを再生することができる。これにより、１つのプログラムのプログラムを見ながら、他のプログラムのプログラムを記録するような、所謂、裏番組録画が可能になる。
【００５０】
また、図３Ａに示すように、１つの画面上に２つの異なるプログラムのプログラムの画面を映し出すことや（マルチ画面再生）、図３Ｂに示すように、親画面６に子画面７を設け、親画面６とは異なるプログラムの映像を子画面７に映し出す（ＰｉｎＰ再生）ようなこともできる。
【００５１】
また、図４に示すように、受信機２に２つのテレビジョン受像機３Ａ及び３Ｂを繋げば、テレビジョン受像機３Ａとテレビジョン受像機３Ｂとに、それぞれ、異なるプログラムの映像を映し出すことができる。
【００５２】
このように、この発明が適用された受信機２では、複数のトランスポートストリームから視聴に必要なパケットをそれぞれ取り出し、それらを再構成して１つのトランスポートストリームとしてＣＡシステムに送ることにより、同時に放送されている複数のプログラムを再生することができる。このような受信機２の具体的な構成について、以下に説明する。
【００５３】
図５は、この発明が適法できる受信機の具体的な構成を示すものである。なお、この例は、ディジタルＢＳ放送の受信を行うものである。
【００５４】
図５において、例えば１２ＧＨｚ帯の電波で衛星を介して送られてくるディジタル衛星放送の電波は、パラボラアンテナ１１で受信され、パラボラアンテナ１１に取り付けられたＬＮＢ（Ｌｏｗ  Ｎｏｉｓｅ  Ｂｌｏｃｋ  Ｄｏｗｎ  Ｃｏｎｖｅｒｔｅｒ）１２で、例えば、１ＧＨｚ帯の第一中間周波信号に変換される。このＬＮＢ１２の出力がケーブル１３を介してチューナ回路１４Ａ及びチューナ回路１４Ｂに供給される。
【００５５】
チューナ回路１４Ａ及びチューナ回路１４Ｂには、マイクロプロセッサ１０から選局信号が供給される。チューナ回路１４Ａ及びチューナ回路１４Ｂにより、マイクロプロセッサ１０からの選局信号に基づいて、受信信号の中から、所望のキャリア周波数の信号が選択される。
【００５６】
チューナ回路１４Ａ及びチューナ回路１４Ｂの出力が復調回路１５Ａ及び復調回路１５Ｂに供給される。復調回路１５Ａ及び復調回路１５Ｂでは、ＢＰＳＫ（Ｂｉｎａｒｙ  Ｐｈａｓｅ  Ｓｈｉｆｔ  Ｋｅｙｉｎｇ  ）と、ＱＰＳＫ（Ｑｕａｄｒａｔｕｒｅ  Ｐｈａｓｅ  Ｓｈｉｆｔ  Ｋｅｙｉｎｇ  ）と、８ＰＳＫ（８相ＰＳＫ）の復調処理が行える。
【００５７】
すなわち、ディジタルＢＳ放送では、ＢＰＳＫと、ＱＰＳＫと、８ＰＳＫとにより、階層化伝送が行われている。８ＰＳＫ変調では、１シンボル当たりの情報量は増えるが、降雨による減衰があると、エラーレートが悪化する。これに対して、ＢＰＳＫやＱＰＳＫでは、１シンボル当たりの情報量は少なくなるが、降雨による減衰があっても、エラーレートはさほど低下しない。
【００５８】
送信側では、１つのＴＳパケットを１スロットに対応させて、各ＴＳパケットが４８スロットで構成されるフレームにマッピングされる。各スロット毎に、変調方式や符号化方式を割り当てることができる。各スロットに割り当てられた変調方式の種別や符号化率は、ＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）信号により送られる。そして、８フレームを単位としてスーパーフレームが構成され、スロットの位置毎にインターリーブが行われる。
【００５９】
復調回路１５Ａ及び復調回路１５Ｂの出力は、エラー訂正回路１６Ａ及びエラー訂正回路１６Ｂに供給される。エラー訂正回路１６Ａ及びエラー訂正回路１６Ｂで、エラー訂正処理が行われる。
【００６０】
すなわち、ディジタルＢＳ放送では、エラー訂正符号化方式としては、外符号にリード・ソロモン符号（２０４，１８８）、内符号に、トレリス符号、畳み込み符号が用いられる。エラー訂正回路１６Ａ及びエラー訂正回路１６Ｂで、ビタビ復号により、内符号のエラー訂正処理が行われ、リード・ソロモン符号により、外符号のエラー訂正処理が行われる。
【００６１】
エラー訂正回路１６Ａ及びエラー訂正回路１６Ｂからは、２つのトランスポートストリームが出力される。このエラー訂正回路１６Ａの出力及びエラー訂正回路１６Ｂの出力が前処理回路１７に供給される。
【００６２】
前処理回路１７は、エラー訂正回路１６Ａ及びエラー訂正回路１６Ｂからの２つのトランスポートストリームから視聴に必要なパケットをそれぞれ取り出し、それらを再構成して１つのトランスポートストリームを出力するものである。
【００６３】
前処理回路１７の出力がデスクランブル及びデマルチプレクサ１８に供給される。デスクランブル及びデマルチプレクサ１８で、ＣＡＳ制御が行われる。
【００６４】
つまり、限定受信の場合には、トランスポートストリームに暗号化が施されている。個人情報はＩＣカード２０に格納されており、ＩＣカード２０は、カードインターフェース２１を介して装着される。
【００６５】
限定受信を行うために、ＣＡＴのパケットの受信が行われ、ＣＡＴのパケットを受信することで、ＥＭＭのパケットのＰＩＤが知らされる。そして、ＩＣカード２０内の個別ＩＤ（カードＩＤ）と一致する自分宛のＥＭＭのパケットが受信される。このＥＭＭの情報がＩＣカード２０に送られ、ＩＣカード２０に契約内容が記憶される。
【００６６】
前処理回路１７により、２つのトランスポートストリームが１つに合成される。このとき、ＮＩＴ、ＰＡＴ、ＰＭＴ等のＳＩのパケットは、破綻が生じないように、再構成される。所望のプログラムを受信する際には、ＮＩＴのパケットから、プログラムリストがサーチされ、プログラムリストに基づいて、チューナ回路１４Ａ及びチューナ回路１４Ｂの受信周波数が設定される。そして、ＰＡＴのパケットが取得される。ＰＡＴのパケットには、そのキャリア内のプログラム情報と、各プログラムの中身を表すＰＭＴのＰＩＤが記述されている。ＰＭＴには、各チャンネルを構成するコンポーネント（ビデオ／オーディオ等）と、デスクランブルに必要なＥＣＭパケットのＰＩＤが記述されている。
【００６７】
ＰＡＴに基づいて、所望のプログラムのＰＭＴのパケットが受信される。ＰＭＴのパケットから、所望のプログラムのコンポーネント（ビデオ／オーディオ）と、ＥＣＭパケットのＰＩＤが取得される。スクランブルを解除するために、ＥＣＭのパケットが受信され、このＥＣＭパケットがＩＣカード２０に送られる。
【００６８】
例えば、２プログラムを同時に受信する場合には、それぞれのプログラムのＰＭＴのパケットが受信され、それぞれのプログラムのコンポーネント（ビデオ／オーディオ）と、ＥＣＭパケットのＰＩＤが取得される。そして、それぞれのＥＣＭパケットが受信され、それぞれのＥＣＭパケットがＩＣカード２０に送られる。ＩＣカード２０からは、ＩＣカード内に記憶された契約内容に基づき、復号が許可された場合にのみ、復号キーが返される。例えば、同時に２プログラムを受信する場合には、それぞれのプログラムについて復号が許可されているかどうかが判断され、復号が許可されている場合には、それぞれのプログラムの復号キーが返される。所望のプログラムの各コンポーネントのパケットは、このデスクランブルキーにより、デスクランブルされる。
【００６９】
デスクランブルされた各コンポーネントのパケットは、デマルチプレクサに送られる。デマルチプレクサにより、所望のプログラムを受信するためのビデオＰＥＳパケットとオーディオＰＥＳパケットが分離される。例えば、同時に２プログラムを受信する場合には、それぞれのプログラムを受信するためのビデオＰＥＳパケットとオーディオＰＥＳパケットが分離される。
【００７０】
２つのプログラムを同時受信する場合、一方のプログラムのビデオＰＥＳパケットは、ビデオデコーダ２２Ａに送られ、オーディオＰＥＳパケットは、オーディオデコーダ２３Ａに送られる。他方のプログラムのビデオＰＥＳパケットは、ビデオデコーダ２２Ｂに送られ、オーディオＰＥＳパケットは、オーディオデコーダ２３Ｂに送られる。
【００７１】
ビデオデコーダ２２Ａ及びビデオデコーダ２２Ｂは、デスクランブル及びデマルチプレクサ１８からのビデオＰＥＳパケットを受け取り、ＭＰＥＧ２方式の復号処理を行って、ビデオ信号を再生するものである。オーディオデコーダ２３Ａ及びオーディオデコーダ２３Ｂは、デスクランブル及びデマルチプレクサ１８からのオーディオＰＥＳパケットを受け取り、ＭＰＥＧ２−ＡＡＣ（ＭＰＥＧ２  Ａｄｖａｎｃｅｄ  Ａｕｄｉｏ  Ｃｏｄｉｎｇ  ）の復号処理を行って、オーディオ信号を形成するものである。
【００７２】
２つのプログラムを同時受信する場合、一方のプログラムの再生ビデオ信号は、出力端子２４Ａから出力され、一方のプログラムの再生オーディオ信号は、出力端子２５Ａから出力される。他方のプログラムの再生ビデオ信号は、出力端子２４Ｂから出力され、他方のプログラムの再生オーディオ信号は、出力端子２５Ｂから出力される。
【００７３】
また、モデム２６が設けられ、課金情報がモデム２６を介して、電話回線により、番組の放送センタに送られる。
【００７４】
操作入力は、入力キー２７により与えられる。入力キー２７は、例えば、受信装置のパネルに配置される各種のキーやスイッチである。また、操作入力は、赤外線リモートコントローラ２９により行うことができ、赤外線リモートコントローラ２９からの赤外線コマンド信号を受光する受光部２８が設けられ、受光部２８からの信号がマイクロプロセッサ１０に送られる。
【００７５】
各種の設定状態が表示部３０に表示される。表示部３０は、例えば、パネルに配設される液晶ディスプレイや、ＬＥＤ（Ｌｉｇｈｔ  Ｅｍｉｔｔｉｎｇ  Ｄｉｏｄｅ）素子である。
【００７６】
また、この受信機には、データを入力出力するためのＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）１３９４インターフェース３１が設けられる。受信したトランスポートストリームは、ＩＥＥＥ１３９４インターフェース３１を介して出力することができる。また、ＩＥＥＥ１３９４インターフェース３１を介して他の機器から転送されてきたトランスポートストリームを入力することができる。
【００７７】
なお、ここでは、ディジタルＢＳ放送の受信機の例について説明したが、ディジタル地上波放送やディジタルＣＡＴＶの受信機でも、変調方式やエラー訂正方式は異なるが、基本構成は同様である。ディジタル地上波放送の場合には、変調方式として、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）が用いられる。ディジタルＣＡＴＶでは、変調方式として、多値ＱＡＭ（Ｑｕａｄｒａｔｕｒｅ  Ａｍｐｌｉｔｕｄｅ  Ｍｏｄｕｌａｔｉｏｎ）が用いられる。
【００７８】
このように、この発明が適用された受信機では、エラー訂正回路１６Ａ及びエラー訂正回路１６Ｂからの２つのトランスポートストリームから視聴に必要なパケットをそれぞれ取り出し、それらを再構成して１つのトランスポートストリームを出力する前処理回路１７が設けられている。この前処理回路１７により、複数のトランスポートストリームを１つのトランスポートストリームとし、１つのＣＡシステムで処理することができる。これにより、複数のプログラムの同時受信が可能になり、裏番組録画や、マルチプログラム表示、ＰｉｎＰ表示等が可能になる。
【００７９】
図６は、上述の前処理回路１７の一例を示すものである。前処理回路１７は、複数のトランスポートストリームを１つのトランスポートストリームに再構成する回路を示すものである。なお、図５の例では、前処理回路１７は、２つのトランスポートストリームを１つのトランスポートストリームに再構成しているが、図６の例では、より一般的な例として、複数のトランスポートストリームを１つのトランスポートストリームに再構成するようにしている。
【００８０】
図６において、トランスポートストリームＴＳ１、ＴＳ２、…、ＴＳｎは、ＰＩＤ選別回路５１−１、５１−２、…、５１−ｎに供給される。ＰＩＤ選別回路５１−１、５１−２、…、５１−ｎは、各トランスポートストリームＴＳ１、ＴＳ２、…、ＴＳｎの中から、指定されたＰＩＤパケットのみを抜き取るものである。
【００８１】
トランスポートストリームの中には、ビデオやオーディオのコンポーネントのパケットの他に、サブタイトルのための文字データのパケット、ＮＩＴ、ＰＡＴ、ＰＭＴなどのＰＳＩや、ＥＰＧのためのＥＩＴのサービス用のＳＩのパケットが存在する。ＰＩＤ選別回路５１−１、５１−２、…、５１−ｎは、これらのパケットの中から、指定するＰＩＤのみを通過させ、必要のない情報を取り除く処理を行っている。
【００８２】
現実のＣＡシステムは、単独のトランスポートストリームを扱うように設計されているため、複数のトランスポートストリームを扱うための処理速度が十分ではない。そのため、ＰＩＤによるフィルタで情報量を減らすことにより、処理を可能としている。
【００８３】
ＣＡシステムの処理速度が十分高ければ，複数のトランスポートストリームを必要、不要情報に関係なく、１つのトランスポートストリームとして再構成することも可能である。
【００８４】
ＰＩＤ選別回路５１−１、５１−２、…、５１−ｎは、図７に示すように構成される。図７において、入力端子６０にトランスポートストリームが供給される。このトランスポートストリームは、マスク回路６３を介して、出力端子６４から出力される。マスク回路６３は、イネーブル信号設定回路６２からイネーブル信号が供給されると、入力端子６０からのパケットを出力し、ディスプレイイネーブル信号が供給されると、入力端子６０からのパケットをマスクする。
【００８５】
また、入力端子６０からのトランスポートストリームＴＳがＰＩＤ判別回路６１に供給される。ＰＩＤ判別回路６１で、トランスポートストリームＴＳの中から、必要な情報のパケットか不要な情報のパケットかが判断される。ＰＩＤ判別回路６１の出力がイネーブル信号設定回路６２に供給される。
【００８６】
ＰＩＤ判別回路６１で、必要な情報のパケットであると判断されると、イネーブル信号設定回路６２からイネーブル信号が出力される。不要な情報のパケットであると判断されると、イネーブル信号設定回路６２からディスプレイイネーブル信号が出力される。イネーブル信号設定回路６２の出力がマスク回路６３に供給される。これにより、入力端子６０からのトランスポートストリーム中の必要なパケットのみを、出力端子６４から出力することができる。
【００８７】
図６において、ＰＩＤ選別回路５１−１、５１−２、…、５１−ｎの出力が同期及び混合回路５２に供給される。同期及び混合回路５２は、複数のトランスポートストリームから新たに１つのトランスポートストリームを生成するものである。
【００８８】
同期及び混合回路５２の出力がＣＡシステム５３に供給される。ＣＡシステム５３は、図５におけるデスクランブラ及びデマルチプレクサ１８と、ＩＣカード２０。マイクロプロセッサ１０からなるシステムに対応する。
【００８９】
図６における同期及び混合回路５２は、図８に示すように構成される。図８において、トランスポートストリームＴＳ１、ＴＳ２、…、ＴＳｎは、メモリ８１−１、８１−２、…、８１−ｎに供給される。メモリ８１−１、８１−２、…、８１−ｎは、非同期に入力される各トランスポートストリームＴＳ１、ＴＳ２、…、ＴＳｎを、単一のトランスポートストリームに同期させるためのものである。メモリ８１−１、８１−２、…、８１−ｎには、制御信号発生回路８２からタイミング信号が供給される。
【００９０】
メモリ８１−１、８１−２、…、８１−ｎの出力がＳＩ除去回路８３−１、８３−２、…、８３−ｎに供給されると共に、ＳＩ再構成回路８４に供給される。ＳＩ除去回路８３−１、８３−２、…、８３−ｎは、各トランスポートストリームＴＳ１、ＴＳ２、…、ＴＳｎのＳＩのパケットを除去するためのものである。また、ＳＩ再構成回路８４は、各トランスポートストリームＴＳ１、ＴＳ２、…、ＴＳｎのＳＩのパケットから、ＳＩのパケットを再構成するためのものである。
【００９１】
例えば、ＳＩとしてはＰＡＴがある。ＰＡＴには、キャリア毎の固有の情報が多重化されている。すなわち、ＰＡＴには、各トランスポートストリームの中のプログラム情報と、各プログラムの中身を表すＰＭＴのＰＩＤが記述されている。したがって、複数のトランスポートストリームが合成されて１つのトランスポートストリームを再構成したときに、ＰＡＴをそのままにしてしまうと、異なるトランスポートストリームの情報が同一のストリームに含まれてしまい、システムの破綻が生じる。このため、各トランスポートストリームＴＳ１、ＴＳ２、…、ＴＳｎのＰＡＴのパケットはＳＩ除去回路８３−１、８３−２、…、８３−ｎで除去され、ＳＩ再構成回路８４で、１つのトランスポートストリームで矛盾が生じないように、ＰＡＴが再構成される。
【００９２】
このＰＡＴの再構成について、更に、説明する。図９は、ＰＡＴの構成を示すものである。図９に示すように、ＰＡＴは３つの大きな部分に分けることができる。１番目の部分９１は、ＰＡＴの固有のヘッダ情報であり、２番目の部分９２は、それぞれのプログラムの情報（各プログラムのＰＭＴのＰＩＤ）であり、３番目の部分９３は、エラー検出用のＣＲＣ（Ｃｙｃｌｉｃ  Ｒｅｄｕｎｄａｎｃｙ  Ｃｈｅｃｋ）の部分９３である。
【００９３】
ＳＩ再構成を行う課程では、１番目のヘッダの部分９１には、新に生成された情報が記述される。２番目の各プログラムの情報の部分は、各トランスポートストリームの情報からコピーして生成される。３番目のＣＲＣの部分９３は、ＰＡＴ全体から新たに計算し直されて、生成される。
【００９４】
つまり、図１０に示すように、トランスポートストリームＴＳ１（図１０Ａ）と、トランスポートストリームＴＳ２（図１０Ｂ）とが入力されたとする。トランスポートストリームＴＳ１内のＣＡシステムを動作させるのに必要なＰＡＴのパケットＰ１ａが受信される。このＰＡＴのパケットＰ１ａの中から、トランスポートストリームＴＳ１内の視聴する番組に関係する情報が取り出され、この情報が新たに生成されるトランスポートストリームＰ１ｃ（図１０Ｃ）のＰＡＴにコピーされる。
【００９５】
ＰＡＴヘッダ（図９参照）のうち、ｖｅｒｓｉｏｎ＿ｎｕｍｂｅｒ，  ｃｕｒｒｅｎｔ＿ｎｅｘｔ＿ｉｎｄｉｃａｔｏｒ，  ｓｅｃｔｉｏｎ＿ｎｕｍｂｅｒ，  ｌａｓｔ＿ｓｅｃｔｉｏｎ＿ｎｕｍｂｅｒはＣＡシステムの運用で決められるため、運用ルールに基づいて再計算が行われる。通常、ｖｅｒｓｉｏｎ＿ｎｕｍｂｅｒ又はｓｅｃｔｉｏｎ＿ｎｕｍｂｅｒは１ずつ増加させることになっているため、トランスポートストリームで新たなＰＡＴを取得する場合、新たに生成するトランスポートストリームのＳＩ情報が生成される。この処理の最後に、新たに生成したＰＡＴのセクション長とＣＲＣが計算され、これらの情報が付け加えられて、新しいＰＡＴのパケットＰ１ｃとされる。
【００９６】
次に、トランスポートストリームＴＳ２内のＣＡシステムを動作させるのに必要なＰＡＴのパケットＰ１ｂが受信される。このＰＡＴのパケットＰ１ｂの中から、トランスポートストリームＴＳ２内の視聴する番組に関係する情報が取り出され、この情報が新たに生成されるトランスポートストリームＰ２ｃのＰＡＴにコピーされる。
【００９７】
ＰＡＴヘッダのうち、ｖｅｒｓｉｏｎ＿ｎｕｍｂｅｒ，  ｃｕｒｒｅｎｔ＿ｎｅｘｔ＿ｉｎｄｉｃａｔｏｒ，  ｓｅｃｔｉｏｎ＿ｎｕｍｂｅｒ，  ｌａｓｔ＿ｓｅｃｔｉｏｎ＿ｎｕｍｂｅｒは、運用ルールに基づいて再計算が行われる。最後に、新たに生成したＰＡＴのセクション長とＣＲＣが計算され、これらの情報が付け加えられて、新しいＰＡＴのパケットＰ２ｃとされる。以下、同様にして、新たなＰＡＴのパケットが再構成される。
【００９８】
このような処理は、トランスポートストリームＴＳ１又はＴＳ２から新しい番組情報を取得する場合、及びｖｅｒｓｉｏｎ＿ｎｕｍｂｅｒ又はｓｅｃｔｉｏｎ＿ｎｕｍｂｅｒが新しい番号になった場合に行われる。
【００９９】
なお、ＭＰＥＧ２システムのためには、ＰＡＴ以外にもＣＡＴ、ＮＩＴ、ＥＩＴなどの情報も必要となるが、これらはディジタル放送を運用するに当たり必要な情報であるので、ＣＡシステムを運用するために必要な情報は、ＰＡＴと同様の方式にて再構成を行う必要がある。
【０１００】
図８において、ＳＩ除去回路８３−１、８３−２、…、８３−ｎで、上述のように、ＰＡＴ、ＣＡＴ、ＮＩＴ、ＥＩＴ等のＳＩのパケットが除去され、このＳＩ除去回路８３−１、８３−２、…、８３−ｎの出力がスイッチ回路８５に供給される。また、ＳＩ再構成回路８４で、上述のように、ＰＡＴ、ＣＡＴ、ＮＩＴ、ＥＩＴ等のＳＩのパケットが再構成され、このＳＩ再構成回路８４の出力がスイッチ回路８５に供給される。ＳＩの再構成の回路は、ＭＰＥＧ２で定義されているテーブルの情報を指定したＰＩＤを並べ替えるだけなので、ハードウェア／ソフトウェアのどちらでも実現可能である。
【０１０１】
スイッチ回路８５は、制御信号発生回路８２からのタイミング信号により切り換えられる。スイッチ回路８５で、複数のトランスポートストリームＴＳ１、ＴＳ２、…、ＴＳｎが１つのストリームに合成される。また、このストリームには、ＳＩ再構成回路８４で再構成されたＳＩが付加される。このようにして再構成されたトランスポートストリームが出力端子８６から出力される。
【０１０２】
なお、図８の例では、複数のトランスポートストリームを１つのトランスポートストリームに再構成する際に、ＳＩ再構成回路８４で複数のトランスポートストリームのＳＩをシステムに破綻が生じないように再構成し、再構成されたストリームに付加するようにしているが、図１１に示すように、複数のトランスポートストリームからＳＩの情報を取得して、所得されたトランスポートストリームのＳＩの情報をそのままマイクロプロセッサに送るようにしても良い。
【０１０３】
つまり、図５に示したように、通常、ＳＩの情報は、デスクランブル及びデマルチプレクサ１８中のデマルチプレクサで抜き取られ、マイクロプロセッサ１０に供給される。ここで、その前段の前処理回路１７でＳＩ情報を取り出し、マイクロプロセッサ１０に送っておけば、デスクランブル及びデマルチプレクサ１８でＳＩのパケットを抜き取り、マイクロプロセッサ１０に送る必要はない。この場合には、前処理回路１７で新たに再構成したトランスポートストリーム中にＳＩ情報を再構成して含める必要はない。
【０１０４】
図１１において、複数のトランスポートストリームＴＳ１、ＴＳ２、…、ＴＳｎがメモリ１０１−１、１０１−２、…、１０１−ｎに供給される。メモリ１０１−１、１０１−２、…、１０１−ｎは、非同期に入力される各トランスポートストリームＴＳ１、ＴＳ２、…、ＴＳｎを、単一のトランスポートストリームに同期させるためのものである。メモリ１０１−１、１０１−２、…、１０１−ｎには、制御信号発生回路１０２からタイミング信号が供給される。
【０１０５】
メモリ１０１−１、１０１−２、…、１０１−ｎの出力がＳＩ除去回路１０３−１、１０３−２、…、１０３−ｎに供給されると共に、ＳＩ情報取得回路１０４に供給される。ＳＩ除去回路１０３−１、１０３−２、…、１０３−ｎは、各トランスポートストリームＴＳ１、ＴＳ２、…、ＴＳｎのＳＩのパケットを除去するものである。ＳＩ情報取得回路１０４は、各トランスポートストリームＴＳ１、ＴＳ２、…、ＴＳｎのＳＩのパケットから、ＳＩのパケットを取得するものである。ＳＩ情報取得回路１０４で取得されたＳＩのパケットは、マイクロプロセッサ（図５におけるマイクロプロセッサ１０に対応する）に供給される。
【０１０６】
ＳＩ除去回路１０３−１、１０３−２、…、１０３−ｎの出力がスイッチ回路１０５に供給される。スイッチ回路１０５は、制御信号発生回路１０２からのタイミング信号により切り換えられる。スイッチ回路１０５で、複数のトランスポートストリームＴＳ１、ＴＳ２、…、ＴＳｎが１つのストリームに合成される。このようにして再構成されたトランスポートストリームが出力端子１０６から出力される。
【０１０７】
このように、複数のトランスポートストリームからＳＩの情報を取得して、所得されたトランスポートストリームのＳＩの情報をそのままマイクロプロセッサに送るように構成すると、新たにＳＩを再構成する必要はなくなる。但し、マイクロプロセッサでのソフトウェア処理が複雑化する。
【０１０８】
図１２は、この発明の他の実施の形態を示すものである。この実施の形態は、図５における前処理回路１７と、デスクランブル及びデマルチプレクサ１８とを一体化したものである。
【０１０９】
図１２において、トランスポートストリームＴＳ１がデスクランブル及びデマルチプレクサ１５１−１に供給される。トランスポートストリームＴＳ２がデスクランブル及びデマルチプレクサ１５１−２に供給される。
【０１１０】
デスクランブル及びデマルチプレクサ１５１−１で、トランスポートストリームＴＳ１の中のＳＩのパケットが抜き取られ、このＳＩのパケットがマイクロプロセッサ１５２に供給される。デスクランブル及びデマルチプレクサ１５１−２で、トランスポートストリームＴＳ２の中のＳＩのパケットが抜き取られ、このＳＩのパケットがマイクロプロセッサ１５２に供給される。
【０１１１】
マイクロプロセッサ１５２に対して、ＣＡシステム１５３が設けられる。トランスポートストリームＴＳ１に対する限定受信と、トランスポートストリームＴＳ２に対する限定受信とで、ＣＡシステム１５３が共通に用いられる。
【０１１２】
マイクロプロセッサ１５２は、トランスポートストリームＴＳ１に対する限定受信処理と、トランスポートストリームＴＳ２に対する限定受信処理とを並行して行っている。
【０１１３】
トランスポートストリームＴＳ１の処理のためのＳＩは、デスクランブル及びデマルチプレクサ１５１−１からマイクロプロセッサ１５２に送られる。マイクロプロセッサ１５２から、これに対する制御情報が返される。
【０１１４】
トランスポートストリームＴＳ２の処理のためのＳＩは、デスクランブル及びデマルチプレクサ１５１−２からマイクロプロセッサ１５２に送られる。マイクロプロセッサ１５２から、これに対する制御情報が返される。
【０１１５】
デスクランブル及びデマルチプレクサ１５１−１で、トランスポートストリームＴＳ１から、所望のプログラムのビデオパケットとオーディオパケットとが分離される。このデスクランブル及びデマルチプレクサ１５１−１の出力がスイッチ回路１５４に供給される。
【０１１６】
デスクランブル及びデマルチプレクサ１５１−２で、トランスポートストリームＴＳ２から、所望のプログラムのビデオパケットとオーディオパケットとが分離される。このデスクランブル及びデマルチプレクサ１５１−２の出力がスイッチ回路１５４に供給される。スイッチ回路１５４には、マイクロプロセッサ１５２から制御信号が供給される。スイッチ回路１５４の出力がビデオデコーダ１５５−１、オーディオデコーダ１５６−１、ビデオデコーダ１５５−２、オーディオデコーダ１５６−２に供給される。
【０１１７】
スイッチ回路１５４は、デスクランブル及びデマルチプレクサ１５１−１及びデスクランブル及びデマルチプレクサ１５１−２の出力を、出力先のデコーダに応じて、切り換えている。
【０１１８】
このように、図１２に示す例では、前処理回路と、デスクランブル及びデマルチプレクサとを一体化するようにしている。しかしながら、この例では、前処理回路と、デスクランブル及びデマルチプレクサとを一体化したため、デスクランブル及びデマルチプレクサが２系統必要になる。図１３の例は、デスクランブル及びデマルチプレクサを時分割で使用することにより、１つのデスクランブル及びデマルチプレクサで処理できるようにしている。
【０１１９】
図１３において、トランスポートストリームＴＳ１がメモリ１６１−１に供給され、トランスポートストリームＴＳ２がメモリ１６１−２に供給される。メモリ１６１−１及びメモリ１６１−２には、マイクロプロセッサ１６２から制御信号が供給される。このマイクロプロセッサ１６２からの制御信号により、メモリ１６１−１からのストリームとメモリ１６１−２からのストリームとが交互に切り換えられる。マイクロプロセッサ１６２に対して、ＣＡシステム１６４が設けられる。トランスポートストリームＴＳ１に対する限定受信と、トランスポートストリームＴＳ２に対する限定受信とで、ＣＡシステム１５３が共通に用いられる。
【０１２０】
先ず、メモリ１６１−１からトランスポートストリームＴＳ１が出力され、このトランスポートストリームＴＳ１がデスクランブル及びデマルチプレクサ１６３に供給される。
【０１２１】
デスクランブル及びデマルチプレクサ１６３で、トランスポートストリームＴＳ１の中のＳＩのパケットが抜き取られ、このＳＩのパケットがマイクロプロセッサ１６２に供給される。マイクロプロセッサ１６２から、これに対する制御情報が返される。これにより、トランスポートストリームＴＳ１の限定受信の制御が行われ、デスクランブル及びデマルチプレクサ１６３からは、トランスポートストリームＴＳ１のプログラムのビデオパケット及びオーディオパケットが出力される。
【０１２２】
次に、メモリ１６１−２からトランスポートストリームＴＳ２が出力され、このトランスポートストリームＴＳ２がデスクランブル及びデマルチプレクサ１６３に供給される。
【０１２３】
デスクランブル及びデマルチプレクサ１６３で、トランスポートストリームＴＳ２の中のＳＩのパケットが抜き取られ、このＳＩのパケットがマイクロプロセッサ１６２に供給される。マイクロプロセッサ１６２から、これに対する制御情報が返される。これにより、トランスポートストリームＴＳ２の限定受信の制御が行われ、デスクランブル及びデマルチプレクサ１６３からは、トランスポートストリームＴＳ２のプログラムのビデオパケット及びオーディオパケットが出力される。
【０１２４】
デスクランブル及びデマルチプレクサ１６３の出力がスイッチ回路１６５に供給される。スイッチ回路１６５には、マイクロプロセッサ１６２から制御信号が供給される。スイッチ回路１５４の出力がビデオデコーダ１６６−１、オーディオデコーダ１６７−１、ビデオデコーダ１６６−２、オーディオデコーダ１６７−２に供給される。
【０１２５】
スイッチ回路１５４は、デスクランブル及びデマルチプレクサ１６３の出力を、出力先のデコーダに応じて、切り換えている。
【０１２６】
このように、図１３に示した例では、デスクランブル及びデマルチプレクサ１６３が時分割で用いられている。このため、１つのデスクランブル及びデマルチプレクサ１６３で処理が可能である。
【０１２７】
以上説明したように、この発明では、複数のトランスポートストリームに対して、１つのＣＡシステムで処理することができ、同時に複数のプログラムの再生が可能になる。このため、所謂裏番組の録画や、マルチ画面再生、ＰｉｎＰ再生等が可能になる。
【０１２８】
なお、この発明を応用して、トランスポートストリームから、ディジタル記録機器のフォーマットになるプログラムストリームへのフォーマット変換の前処理として用いることができる。
【０１２９】
この発明は、トランスポートストリームの例としてディジタルチューナ，ＩＥＥＥ１３９４などのどのような機器の同期していないシステムへの対応が可能である．
【０１３０】
【発明の効果】
この発明によれば、複数のトランスポートストリームからそれぞれ必要なパケットを取り出し、１つのトランスポートストリームに再構成し、再構成された１つのトランスポートストリームから限定受信を行い、必要なパケットを分離し、再構成された１つのトランスポートストリームから分離された各パケットを、それぞれ、復号するようにしている。
【０１３１】
すなわち、複数のトランスポートストリームのそれぞれからＳＩのパケット情報を取り出し、複数のトランスポートストリームから１つのトランスポートストリームを再構成すると共に、複数のトランスポートストリームのそれぞれから得られたＳＩのパケットの情報から、新たなＳＩのパケットを再構成している。
【０１３２】
また、複数のトランスポートストリームのそれぞれからＳＩのパケットの情報を取り出し、複数のトランスポートストリームから１つのトランスポートストリームを再構成すると共に、複数のトランスポートストリームのそれぞれから得られたＳＩのパケットの情報をマイクロプロセッサに送り、限定受信のための処理を行うようにしている。
【０１３３】
また、複数のトランスポートストリームのそれぞれからＳＩのパケットの情報を取り出し、マイクロプロセッサに送り、複数のトランスポートストリームのそれぞれから得られたＳＩのパケットの情報を使って、共通の限定受信システムで限定受信を行い、必要なパケットを分離し、複数のトランスポートストリームから分離された各パケットを、それぞれ、復号するようにしている。
【０１３４】
これにより、ＣＡシステムを変更することなく、複数のトランスポートストリームのプログラムを同時に再生することができる。このため、裏番組録画や、マルチ画面再生、ＰｉｎＰ再生等が可能である。
【図面の簡単な説明】
【図１】この発明が適用された放送システムの一例のブロック図である。
【図２】ＭＰＥＧ２−ＴＳのＴＳパケットの説明に用いる略線図である。
【図３】マルチ画面再生及びＰｉｎＰ再生の説明に用いる略線図である。
【図４】複数の受像機による再生の説明に用いる略線図である。
【図５】この発明が適用された受信機の一例のブロック図である。
【図６】前処理回路の一例のブロック図である。
【図７】ＰＩＤ選別回路の一例のブロック図である。
【図８】同期、混合回路の一例のブロック図である。
【図９】ＰＡＴの構造を示す略線図である。
【図１０】ＳＩの再構築の説明に用いる略線図である。
【図１１】同期、混合回路の他の例のブロック図である。
【図１２】この発明の他の実施の形態のブロック図である。
【図１３】この発明の更に実施の形態のブロック図である。
【符号の説明】
１７・・・前処理回路、５１−１、５１−２、…、５１−ｎ・・・選別回路、５２・・・同期及び混合回路、５３・・・ＣＡシステム、６１・・・ＰＩＤ判別回路、６２・・・イネーブル信号設定回路、６３・・・マスク回路
【図１】
2004266334.tif 000003
【図２】
2004266334.tif 000004
【図３】
2004266334.tif 000005
【図４】
2004266334.tif 000006
【図５】
2004266334.tif 000007
【図６】
2004266334.tif 000008
【図７】
2004266334.tif 000009
【図８】
2004266334.tif 000010
【図９】
2004266334.tif 000011
【図１０】
2004266334.tif 000012
【図１１】
2004266334.tif 000013
【図１２】
2004266334.tif 000014
【図１３】
2004266334.tif 000015
【手続補正書】
【提出日】平成16年4月26日(2004.4.26)
【手続補正１】
【補正対象書類名】明細書
【補正対象項目名】特許請求の範囲
【補正方法】変更
【補正の内容】
【特許請求の範囲】
【請求項１】
複数のトランスポートストリームからそれぞれ必要なパケットを取り出し、１つのトランスポートストリームに再構成する手段と、
上記再構成された１つのトランスポートストリームから限定受信を行い、必要なパケットを分離する手段と、
上記再構成された１つのトランスポートストリームから分離された各パケットを、それぞれ、復号する手段と
を備えるようにしたデータ処理装置。
【請求項２】
上記複数のトランスポートストリームのそれぞれからＳＩ(Service Information)のパケット情報を取り出し、上記複数のトランスポートストリームのそれぞれから得られたＳＩのパケットの情報から新たなＳＩのパケットを再構成し、上記再構成された新たなＳＩのパケットを上記再構成された１つのトランスポートストリームに付加するようにした請求項１に記載のデータ処理装置。
【請求項３】
上記複数のトランスポートストリームのそれぞれからＳＩ(Service Information)のパケットの情報を取り出し、上記複数のトランスポートストリームのそれぞれから得られたＳＩのパケットの情報を処理手段に送り、限定受信のための処理を行うようにした請求項１に記載のデータ処理装置。
【請求項４】
複数のトランスポートストリームのそれぞれからＳＩ(Service Information)のパケットの情報を取り出し、上記複数のトランスポートストリームのそれぞれから得られたＳＩのパケットの情報を使って、限定受信のための処理を行う手段と、
上記複数のトランスポートストリームのそれぞれについて共通の限定受信を行い、必要なパケットを分離する手段と、
上記それぞれのトランスポートストリームから分離された各パケットを、それぞれ、復号する手段と
を備えるようにしたデータ処理装置。
【請求項５】
上記必要なパケットを分離する手段を、上記複数のトランスポートストリームについて時分割で使用するようにした請求項４に記載のデータ処理装置。
【請求項６】
複数のトランスポートストリームからそれぞれ必要なパケットを取り出し、１つのトランスポートストリームに再構成する手段と、
上記再構成された１つのトランスポートストリームから限定受信を行い、必要なパケットを分離する手段と、
上記再構成された１つのトランスポートストリームから分離された各パケットを、それぞれ、復号する手段と
を備えるようにしたディジタル放送受信機。
【請求項７】
複数のトランスポートストリームからそれぞれ必要なパケットを取り出し、１つのトランスポートストリームに再構成し、
上記再構成された１つのトランスポートストリームから限定受信を行い、必要なパケットを分離し、
上記再構成された１つのトランスポートストリームから分離された各パケットを、それぞれ、復号する
ようにしたデータ処理方法。
【請求項８】
上記複数のトランスポートストリームのそれぞれからＳＩ(Service Information)のパケット情報を取り出し、上記複数のトランスポートストリームのそれぞれから得られたＳＩのパケットの情報から新たなＳＩのパケットを再構成し、上記再構成された新たなＳＩのパケットを上記再構成された１つのトランスポートストリームに付加するようにした請求項７に記載のデータ処理方法。
【請求項９】
上記複数のトランスポートストリームのそれぞれからＳＩ(Service Information)のパケットの情報を取り出し、上記複数のトランスポートストリームのそれぞれから得られたＳＩのパケットの情報を処理手段に送り、限定受信のための処理を行うようにした請求項７に記載のデータ処理方法。
【請求項１０】
複数のトランスポートストリームのそれぞれからＳＩ(Service Information)のパケット情報を取り出し、上記複数のトランスポートストリームのそれぞれから得られたＳＩのパケットの情報を使って、共通の限定受信のための処理を行い、
上記複数のトランスポートストリームのそれぞれについて限定受信を行い、必要なパケットを分離し、
上記それぞれのトランスポートストリームから分離された各パケットを、それぞれ、復号する
ようにしたデータ処理方法。
【請求項１１】
上記必要なパケットを分離する手段を、上記複数のトランスポートストリームについて時分割で使用するようにした請求項１０に記載のデータ処理方法。
【手続補正２】
【補正対象書類名】明細書
【補正対象項目名】０００１
【補正方法】変更
【補正の内容】
【０００１】
【発明の属する技術分野】
この発明は、ディジタル衛星放送や地上ディジタル放送のように、ＭＰＥＧ(Moving Picture Coding Experts Group)２のストリームで放送を行うシステムに用いて好適なディジタル処理装置及び方法に関するもので、特に、ＣＡ(Condition Access System)システムを変更することなく、同時に放送されている複数のプログラムの受信を可能にし、裏番組録画や、マルチ画面再生、ＰｉｎＰ（Picture in Picture)再生等を可能としたものに係わる。


【手続補正３】
【補正対象書類名】明細書
【補正対象項目名】０００２
【補正方法】変更
【補正の内容】
【０００２】
【従来の技術】
日本のディジタル放送（ディジタル衛星放送、地上ディジタル放送、ディジタルＣＡＴＶ(Cable Television)）では、ＭＰＥＧ２システム（ISO/IEC 13818-1 GENERIC CODING OF MOVING PICTURES AND ASSOCIATED AUDIO: SYSTEMS  Recommendation H.222.0）が採用されている。この方式は、ＡＲＩＢ（Association of Radio Industrial and Businesses）の規格の基に作成されたものである。


【手続補正４】
【補正対象書類名】明細書
【補正対象項目名】００２５
【補正方法】変更
【補正の内容】
【００２５】
この発明は、複数のトランスポートストリームのそれぞれからＳＩ(Service Information)のパケットの情報を取り出し、複数のトランスポートストリームのそれぞれから得られたＳＩのパケットの情報を使って、限定受信のための処理を行う手段と、
複数のトランスポートストリームのそれぞれについて共通の限定受信を行い、必要なパケットを分離する手段と、
それぞれのトランスポートストリームから分離された各パケットを、それぞれ、復号する手段と
を備えるようにしたデータ処理装置である。
この発明は、複数のトランスポートストリームからそれぞれ必要なパケットを取り出し、１つのトランスポートストリームに再構成する手段と、
上記再構成された１つのトランスポートストリームから限定受信を行い、必要なパケットを分離する手段と、
上記再構成された１つのトランスポートストリームから分離された各パケットを、それぞれ、復号する手段と
を備えるようにしたディジタル放送受信機である。